(57)【要約】      （修正有）【課題】簾の巻上げ作業が容易であるとともに、幅広及び幅狭の種々の簾に対応した簾巻上げ器を提供する。【解決手段】簾１００の上桟１０１に取り付ける巻上げ機構本体１０の前後の一方に巻上げ紐２の基端側を取り付ける取付手段１１を設けると共に他方に巻上げ紐２の自由端とした先端側を挿通するリング部１２を設けて、巻上げ紐２の基端側とリング部１２との間の巻上げ紐の下方に形成される弧状受部２１を簾の下桟に臨ませてなる巻上げ機構１の複数個を、簾１００の上桟１０１に設けて、隣り合う何れか２個の巻上げ機構１、１の間に配置した紐止め具３に各リング部１２に挿通させた巻掛け紐２を固定自在に束ねて挿通させる。【選択図】図１
0003189025.tif 000002
【実用新案登録請求の範囲】
【請求項１】
簾の上桟に取り付ける巻上げ機構本体の前後の一方に巻上げ紐の基端側を取り付ける取付手段を設けるとともに他方に該巻上げ紐の自由端とした先端側を挿通するリング部を設けて、該巻上げ紐の基端側とリング部との間の巻上げ紐の下方に形成される弧状受部を簾の下桟に臨ませてなる巻上げ機構の複数個を、
簾の上桟に設けて、隣り合う何れか２個の巻上げ機構の間に配置した紐止め具に各リング部を挿通した巻掛け紐の全てを固定自在に束ねて挿通させてなることを特徴とする簾巻上げ器。
【請求項２】
前記巻上げ機構の４個を前記上桟に設けて、任意の２個の巻上げ機構の間に配置した紐止め具に各リング部を挿通した巻掛け紐を固定自在に束ねて挿通させてなる請求項１に記載の簾巻上げ器。
【請求項３】
前記巻上げ機構の２個を前記上桟に設けて、該２個の巻上げ機構の間に配置した紐止め具に各リング部を挿通した巻掛け紐の全てを固定自在に束ねて挿通させてなる請求項１に記載の簾巻上げ器。
【請求項４】
前記巻上げ機構の４個を、隣り合わせに吊下げた２枚の簾の各上桟に２個ずつ設けて、隣り合う２枚の簾の隣り合う２個の巻上げ機構の間に配置した紐止め具に各リング部を挿通した巻掛け紐の全てを固定自在に束ねて挿通させてなる請求項１に記載の簾巻上げ器。
【請求項５】
前記巻上げ機構の巻上げ機構本体を、支持板部の中央に設けた孔部を前記上桟を吊下げる吊掛具の吊手部に嵌合したうえ該支持板部の下端面を前記上桟に支持させて該上桟に取り付けて、該支持板部の前後の一方に巻上げ紐の基端側を取り付ける取付手段としての紐結束用孔を設けて、また、該支持板部の前後の他方に該巻上げ紐の自由端とした先端側を挿通するリング部を設けたものとした請求項１〜４の何れか１項に記載の簾巻上げ器。
【請求項６】
前記巻上げ機構の巻上げ機構本体を、簾の上桟に取り付け吊下げ具よりなるものとして、該吊下げ具の前後の一方に巻上げ紐の基端側を取り付ける取付手段を設けて、また、該吊下げ具の前後の他方に該巻上げ紐の自由端とした先端側を挿通するリング部を設けたものとした請求項１〜４の何れか１項に記載の簾巻上げ器。
【請求項７】
前記巻上げ機構を形成するリング部の上部に巻上げ紐を該リング部に係脱できる切り込みを形成した請求項１〜６の何れか１項に記載の簾巻上げ器。
【考案の詳細な説明】
【技術分野】
【０００１】
本考案は、簾の巻上げ作業が容易であるとともに、幅広及び幅狭の種々の簾に対応した簾巻上げ器に関するものである。
【背景技術】
【０００２】
簾巻上げ器としては、例えば、本出願人に係る特許文献１（登録実用新案第３１６７６９３号公報）に記載のものがある。
【０００３】
前記特許文献１に開示されているものは、巻上げ紐の巻上げ作業を簾の一方の端側で行うものである。
【０００４】
ところが、簾を吊下げた窓の両側は主に壁面となっており、家具等が配置されている場合には、巻上げ作業が容易な場所である簾の端側において行うことできず、そのため巻上げ紐を適正な方向から引っ張ることができないため巻上げ作業に余分力を必要とするばかりでなく、巻上げ器に余分な負荷が掛かり損傷する虞もあった。
【先行技術文献】
【特許文献】
【０００５】
【特許文献１】登録実用新案第３１６７６９３号公報
【考案の概要】
【考案が解決しようとする課題】
【０００６】
本考案は前記のような問題を解決して、簾の巻上げ作業が容易であるとともに、幅広及び幅狭の種々の簾に対応できる簾巻上げ器を提供することを目的として完成されたものである。
【課題を解決するための手段】
【０００７】
本考案の簾巻上げ器は、簾の上桟に取り付ける巻上げ機構本体の前後の一方に巻上げ紐の基端側を取り付ける取付手段を設けるとともに他方に該巻上げ紐の自由端とした先端側を挿通するリング部を設けて、該巻上げ紐の基端側とリング部との間の巻上げ紐の下方に形成される弧状受部を簾の下桟に臨ませてなる巻上げ機構の複数個を、簾の上桟に設けて、隣り合う何れか２個の巻上げ機構の間に配置した紐止め具に各リング部を挿通した巻掛け紐の全てを固定自在に束ねて挿通させてなることを特徴とするものを基本の考案とする。
【０００８】
そして、前記巻上げ機構の４個を前記上桟に設けて、任意の２個の巻上げ機構の間に配置した紐止め具に各リング部を挿通した巻掛け紐を固定自在に束ねて挿通させたものでもよい。
【０００９】
また、前記巻上げ機構の２個を前記上桟に設けて、該２個の巻上げ機構の間に配置した紐止め具に各リング部を挿通した巻掛け紐の全てを固定自在に束ねて挿通させたものでもよい。
【００１０】
また、前記巻上げ機構の４個を、隣り合わせに吊下げた２枚の簾の各上桟に２個ずつ設けて、隣り合う２枚の簾の隣り合う２個の巻上げ機構の間に配置した紐止め具に各リング部に挿通させた巻掛け紐を固定自在に束ねて挿通させたものでもよい。
【００１１】
また、前記巻上げ機構の巻上げ機構本体を、支持板部の中央に設けた孔部を前記上桟を吊下げる吊掛具の吊手部に嵌合したうえ該支持板部の下端面を前記上桟に支持させて該上桟に取り付けて、該支持板部の前後の一方に巻上げ紐の基端側を取り付ける取付手段としての紐結束用孔を設けて、また、該支持板部の前後の他方に該巻上げ紐の自由端とした先端側を挿通するリング部を設けたものとしてもよい。
【００１２】
また、前記巻上げ機構の巻上げ機構本体を、簾の上桟に取り付け吊下げ具よりなるものとして、該吊下げ具の前後の一方に巻上げ紐の基端側を取り付ける取付手段を設けて、また、該吊下げ具の前後の他方に該巻上げ紐の自由端とした先端側を挿通するリング部を設けたものとしてもよい。
【００１３】
さらに、前記巻上げ機構を形成するリング部の上部に巻上げ紐を該リング部に係脱できる切り込みを形成してもよい。
【考案の効果】
【００１４】
前記した本考案の簾巻上げ器は、隣り合う何れか２個の巻上げ機構の間に配置した紐止め具に挿通させた巻掛け紐の全てを束ねた状態で纏めて引き下げれば、各巻掛け紐は夫々が挿通した各リング部を支点に、巻上げ紐の基端側とリング部との間の巻上げ紐の下方に形成される弧状受部を引き上げることとなり、簾は下桟を芯に上方に巻き上げることができるものである。
【００１５】
所定の巻上げとなったら、束ねた巻掛け紐を上桟の近傍で紐止め具により固定すれば、各巻掛け紐は紐止め具を中心に連結固定されて巻上げ状態を維持するものである。
【００１６】
また、簾を巻上げ状態から広げた垂らした状態にするには、紐止め具による各巻掛け紐の固定を解除すれば、各巻掛け紐は紐止め具を挿通できるので、簾は紐止め具により規制されることなく自重により自動的に巻上げ状態から広げた垂らした状態となるものである。
【００１７】
そして、本考案に係る簾巻上げ器は、簾を巻上げる作業を、隣り合う何れか２個の巻上げ機構の間に配置した紐止め具により行うので、巻上げ作業は簾の端側より内側の巻上げ作業が容易な場所において、巻上げ紐を適正な方向から引っ張ることができ、巻上げ作業に余分な力を不要とするものである。また、巻上げ機構を増減することにより、幅広及び幅狭の種々の簾に対応できるものである。
【図面の簡単な説明】
【００１８】
【図１】本考案の実施形態を示す概略的な斜視図。
【図２】同じく態様を異にして示す概略的な斜視図。
【図３】同じく要部の斜視図。
【図４】同じく要部の側面図。
【図５】本考案の実施形態に使用する吊掛具と巻上げ機構本体を示す斜視図。
【図６】本考案の実施形態の使用例２を示す概略的な斜視図。
【図７】本考案の実施形態の使用例３を示す概略的な斜視図。
【図８】本考案の実施形態の使用例４を示す概略的な斜視図。
【図９】本考案の実施形態の使用例５の要部を示す斜視図。
【図１０】本考案の実施形態の使用例５の要部を示す側面図。
【図１１】本考案の実施形態に使用する紐止め具の一例を示す断面図。
【図１２】本考案の他の実施形態を示す概略的な側面図。
【考案を実施するための形態】
【００１９】
次に、本考案の好ましい実施の形態を図面に基づき説明する。
図１は本考案の実施形態を示す概略的な斜視図であり、この図において１は巻上げ機構である。この巻上げ機構１は、簾１００の上桟１０１に取り付ける巻上げ機構本体１０の前後の一方に巻上げ紐２の基端側を取り付ける取付手段１１を設けると共に他方に該巻上げ紐２の自由端とした先端側を挿通するリング部１２を設けて、該巻上げ紐２の基端側とリング部１２との間の巻上げ紐２の下方に形成される弧状受部２１を簾の下端に臨ませてなるものである。
【００２０】
図１に示すように前記巻上げ機構１の複数個すなわち４個を、簾１００の上桟１０１に設けて、隣り合う何れか２個、図示のものは正面視して右の２個の巻上げ機構１、１の間に配置した紐止め具３に各リング部１２に挿通させた巻掛け紐２の全てを固定自在に束ねて挿通させている。
【００２１】
このように構成されたものは、右の２個の巻上げ機構１、１の間に配置した紐止め具３に挿通させた巻掛け紐２を束ねた状態で纏めて引き下げれば、各巻掛け紐２は夫々が挿通した各リング部１２を支点に、巻上げ紐２の基端側とリング部１２との間の巻上げ紐２の下方に形成される弧状受部２１を引き上げることとなり、簾１００は下桟を芯に上方に巻き上げることができるものである。
【００２２】
そして、所定の巻上げとなったら、図２に示すように束ねた巻掛け紐２を上桟１０１の近傍で紐止め具３により固定すれば、各巻掛け紐２は紐止め具３を中心に連結固定されて巻上げ状態を維持するものである。
【００２３】
また、簾１００を巻上げ状態から巻き下して広げて垂らした状態にするには、紐止め具３による各巻掛け紐２の固定を解除すれば、各巻掛け紐２は紐止め具３を挿通できるので、簾１００は紐止め具３により規制されることなく自重により自動的に巻上げ状態から広げた垂らした状態となるものである。
【００２４】
このように、簾１００を巻上げる作業を、隣り合う２個の巻上げ機構１、１の間に配置した紐止め具３により行うので、作業空間は簾の端側より内側の巻上げ作業が容易な場所において、巻上げ紐２を適正な方向から引っ張ることができ、巻上げ作業に余分な力を不要とするものである。
【００２５】
また、紐止め具３を、図６に示すように、正面視して中央の２個の巻上げ機構１、１の間に配置したものとしても、また、図７に示すように、正面視して左の２個の巻上げ機構１、１の間に配置したものとしてもよいものである。
【００２６】
なお、前記したものは、幅広すなわち幅が９尺の簾１００に対して、４個の巻上げ機構１を使用したものであるか、簾１００の幅がこれより狭いものは、前記巻上げ機構の２個又は３個を前記上桟に設けて、２個のものは該２個の巻上げ機構１、１の間に紐止め具３を配置して、３個のものは、中央の巻上げ機構１と両側の一方の巻上げ機構１の間に紐止め具３を配置してもよいことは勿論である。このように、巻上げ機構１の個数を増減することにより幅広及び幅狭の種々の簾に対応できるものでもある。
【００２７】
さらに、前記巻上げ機構の４個を、図８に示すように隣り合わせに吊下げた幅の短い２枚の簾１００、１００の各上桟１０１に２個ずつ設けて、隣り合う２枚の簾１００、１００の隣り合う２個の巻上げ機構１、１の間に配置した紐止め具３に各リング部１２に挿通させた巻掛け紐２を固定自在に束ねて挿通させたものとしてもよい。
【００２８】
前記巻上げ機構１の巻上げ機構本体１０は、これら実施形態のものは図３〜図５に示すような構造を採用している。すなわち、巻上げ機構本体１０は支持板部１３の中央に設けた孔部１４を前記上桟１０１を係止する吊掛具４の吊手部４１に嵌合したうえ該支持板部１３の下端面を前記上桟１０１に上面に支持させて該上桟１０１に取り付けするものとしている。
【００２９】
そして、前記支持板部１３の前後の一方に巻上げ紐２の基端側を取り付ける取付手段１１としての紐結束用孔１１を設けて、また、該支持板部１３の前後の他方に該巻上げ紐２の自由端とした先端側を挿通するリング部１２を設けている。
【００３０】
なお、簾の巻上操作を屋内側からできるものとするため、図１〜図８に示すように簾を屋内側に吊るしたものや、図９〜図１０に示すように簾を屋外側に吊るしたものであっても、巻掛け紐２の全てを固定自在に束ねて挿通させた紐止め具３を屋内側に臨むようにするため、巻上げ機構本体１０はリング部１２が屋内側に臨むように前記上桟１０１に取り付けている。
【００３１】
また、前記した紐止め具３は、各リング部１２に挿通させた巻掛け紐２の全てを固定自在に束ねて挿通できるものであればどのような構造であってもよいものである。
なお、この実施形態においては、図１１に示すように紐止め具３は、周壁３２に対向させて連通した紐通し孔３３、３３を形成した有底筒状の外筒体３１と、前記紐通し孔３３、３３と合致して連通させる紐通し孔３６を形成して該外筒体３１に摺動自在に嵌合する止め部材３４と、該止め部材３４の基端面３４ａと前記外筒体３１の底面３１ａとの間に介在させた圧縮ばね３７とよりなるものとしている。
【００３２】
このような紐止め具３は、図１２の（A）に示すように止め部材３４を圧縮ばね３７に抗して外筒体３１内に押し込んで、止め部材３４の紐通し孔３６が外筒体３１の紐通し孔３３、３３と合致した箇所で巻掛け紐２を挿通自在とすることができるものである。
【００３３】
また、巻掛け紐２を止め部材３４の紐通し孔３６と外筒体３１の紐通し孔３３、３３に挿通させた通常状態では、図１２の（Ｂ）に示すように圧縮ばね３７により止め部材３４が外側に押圧されて紐通し孔３６は外筒体３１の紐通し孔３３、３３とずれて巻掛け紐２が紐通し孔３６と紐通し孔３３、３３との孔縁同士により挟持されて固定されるものである。
【００３４】
また、図１２は、他の巻上げ機構本体１０を使用した実施形態を示すものであり、この巻上げ機構本体１０は、簾１００の上桟１０１に取り付け吊下げ具１０よりなるものとして、該吊下げ具１０の前後の一方に巻上げ紐２の基端側を取り付ける取付手段を設けて、また、該吊下げ具１０の前後の他方に該巻上げ紐２の自由端とした先端側を挿通するリング部１２を設けたものとしている。簾１００の上桟１０１への取り付けは吊下げ具１０のバンド１５より行うものとしている。また、該吊下げ具（巻上げ機構本体）１０の上方に突設した吊掛け部１６に係止孔１６ａを設けて吊掛具４に吊下げることができるものとしている。
【００３５】
さらに、前記巻上げ機構１を形成するリング部１２の上部に巻上げ紐２を上部から該リング部１２に係脱できる切り込みを形成してもよい。
【符号の説明】
【００３６】
１  巻上げ機構
10  巻上げ機構本体
11  取付手段（紐結束用孔）
12  リング部
13  支持板部
14  孔部
２  巻上げ紐
21  弧状受部
３  紐止め具
４  吊掛具
41  吊手部
100 簾
101 上桟
【図１】
0003189025.tif 000003
【図２】
0003189025.tif 000004
【図３】
0003189025.tif 000005
【図４】
0003189025.tif 000006
【図５】
0003189025.tif 000007
【図６】
0003189025.tif 000008
【図７】
0003189025.tif 000009
【図８】
0003189025.tif 000010
【図９】
0003189025.tif 000011
【図１０】
0003189025.tif 000012
【図１１】
0003189025.tif 000013
【図１２】
0003189025.tif 000014